(57)【要約】  本発明は、移動通信システムのアップリンク同期化要請方法、それのＣＤＭＡ割り当て情報要素構造及びその装置に関するものである。移動通信システムでアップリンクの同期化を要請する方法は、ａ）アップリンクトラフィックがある場合にアップリンク同期エラーがあるかどうかを判断するステップと、ｂ）アップリンク同期エラーがあると判断された場合にタイミング調整値を計算するステップと、ｃ）計算されたタイミング調整値が含まれた帯域幅要求コードを基地局へ伝送して帯域幅要請を行うステップを含む。本発明によれば、加入者端末が参照適応値とダウンリンクプレアンブルの受信時点を比較してアップリンク同期タイミングを計算し、帯域幅要請レンジングを通じて帯域幅割り当てを要請する加入者端末のアップリンクを同期化することによってアップリンク同期化に利用されるリソース利用効率を極大化する。
2010500788.tif 000002
【特許請求の範囲】
【請求項１】
移動通信システムにおいてアップリンクの同期化を要請する方法であって、
前記アップリンクにトラフィックがある場合、アップリンク同期エラーがあるかどうかを判断するステップと、
前記アップリンク同期エラーがあると判断された場合、タイミング調整値を計算するステップと、
前記計算されたタイミング調整値を含む帯域幅要請コードを基地局に伝送して帯域幅要請を行うステップと
を含むことを特徴とする方法。
【請求項２】
前記基地局と初期レンジングを行うステップと、
初期タイミング値を格納するステップと
をさらに含むことを特徴とする請求項１に記載の方法。
【請求項３】
前記初期タイミング値は、前記基地局が複数の加入者端末と初期レンジングを行うためのデータフレームの参照適応値であることを特徴とする請求項２に記載の方法。
【請求項４】
ｎは自然数であって、
加入者端末が移動する前のｎ番目のデータフレームのアップリンク受信完了時間と次回受信されるｎ＋１番目のデータフレームのダウンリンクプレアンブルの到着時間との間の時間間隔を移動前伝送時間間隔とし、かつ、加入者端末が移動した後のｎ番目のデータフレームのアップリンク受信完了時間と次回受信されるｎ＋１番目のデータフレームのダウンリンクプレアンブルの到着時間との間の時間間隔を移動後時間間隔とする時、
前記タイミング調整値は、前記移動前時間間隔と前記移動後時間間隔の時間間隔差の値であることを特徴とする請求項３に記載の方法。
【請求項５】
前記基地局からＣＤＭＡ_Ａｌｌｏｃａｔｉｏｎ_ＩＥを受信するステップと、
受信されたＣＤＭＡ_Ａｌｌｏｃａｔｉｏｎ_ＩＥに含まれる伝送パラメータ値を利用することによってアップリンクの同期を補正するステップと、
受信されたＣＤＭＡ_Ａｌｌｏｃａｔｉｏｎ_ＩＥを通じて前記基地局から割り当てられた帯域幅を利用することによって前記基地局にデータを伝送するステップと
をさらに含むことを特徴とする請求項１に記載の方法。
【請求項６】
前記ＣＤＭＡ_Ａｌｌｏｃａｔｉｏｎ_ＩＥは、
加入者端末がアップリンクを通じてデータを一定期間独占的に伝送できるようにする権限に対する情報を含む伝送機会と、
前記加入者端末がアップリンク同期化のために前記基地局に送信した帯域幅要請コードに含まれたタイミング調整値の情報を含むタイミング調整と、
前記加入者端末が調整する伝送パラメータ値のうちの伝送電力値の情報を含む電力調整と
を含むことを特徴とする請求項５に記載の方法。
【請求項７】
前記アップリンクの同期を補正するステップは、
前記伝送機会及びタイミング調整の設定値を前記伝送パラメータ値として利用することによって前記基地局とのアップリンクの同期を補正するステップをさらに含むことを特徴とする請求項６に記載の方法。
【請求項８】
前記ＣＤＭＡ_Ａｌｌｏｃａｔｉｏｎ_ＩＥは、
前記加入者端末に割り当てられるスロットの数を示す期間と、
前記アップリンクの区間使用コードを示すＵＩＵＣと、
前記アップリンクトラフィックに使用される反復コードを示すＲＣＩと、
前記アップリンクトラフィックの伝送のために使用されるフレーム数を示すフレーム数インデックスと、
前記レンジングのためのコード、シンボル、及びサブチャネルをそれぞれ示すレンジングコードと、
前記帯域幅要請のための識別子を示す帯域幅要請命令と
をさらに含むことを特徴とする請求項６に記載の方法。
【請求項９】
前記ＣＤＭＡ_Ａｌｌｏｃａｔｉｏｎ_ＩＥを受信するステップは、
前記帯域幅要請命令が０に設定された前記ＣＤＭＡ_Ａｌｌｏｃａｔｉｏｎ_ＩＥを受信するステップをさらに含むことを特徴とする請求項８に記載の方法。
【請求項１０】
前記基地局から割り当てられたアップリンクの帯域幅が不足した場合、Ｇｒａｎｔ＿Ｍａｎａｇｅｍｅｎｔ＿Ｓｕｂｈｅａｄｅｒメッセージを前記基地局に伝送することによって追加的に必要なアップリンク帯域幅を要請するステップをさらに含むことを特徴とする請求項５に記載の方法。
【請求項１１】
移動通信システムにおいてアップリンクの同期化のために基地局から加入者端末に伝送されるアップリンクマップ（ＵＬ−ＭＡＰ）のＣＤＭＡ＿Ａｌｌｏｃａｔｉｏｎ＿ＩＥ構造であって、
前記加入者端末がアップリンクを通じてデータを一定期間独占的に伝送させる権限に対する情報を含む伝送機会と、
前記加入者端末がアップリンク同期化のために前記基地局に伝送した帯域幅要請コードに含まれたタイミング調整値の情報を含むタイミング調整と、
前記加入者端末が調整する伝送パラメータ値のうちの伝送電力値の情報を含む電力調整と
を含むことを特徴とするＣＤＭＡ＿Ａｌｌｏｃａｔｉｏｎ＿ＩＥ構造。
【請求項１２】
前記加入者端末に割り当てられるスロットの数を示す期間と、
前記アップリンクの区間使用コードを示すＵＩＵＣと、
前記アップリンクトラフィックに使用される反復コードを示すＲＣＩと、
前記アップリンクトラフィックの伝送のために使用されるフレーム数を示すフレーム数インデックスと、
前記レンジングのためのコード、シンボル、及びサブチャネルをそれぞれ示すレンジングコードと、
前記帯域幅要請のための識別子を示す帯域幅要請命令と
をさらに含むことを特徴とする請求項１１に記載のＣＤＭＡ＿Ａｌｌｏｃａｔｉｏｎ＿ＩＥ構造。
【請求項１３】
移動通信システムにおいて帯域幅要請コードを利用したレンジングを介してアップリンク同期化を行う加入者端末であって、
基地局と初期レンジングを行って初期タイミング値を格納する手段と、
アップリンクトラフィックがあるかどうかを判断する手段と、
前記アップリンクトラフィックがあると判断された場合、アップリンク同期エラーがあるかどうかを判断する手段と、
前記アップリンク同期エラーがあると判断された場合、タイミング調整値を計算する手段と、
前記基地局に前記計算されたタイミング調整値が含まれた帯域幅要請コードを伝送して帯域幅要請を行う手段と
を含むことを特徴とする加入者端末。
【請求項１４】
基地局からＣＤＭＡ＿Ａｌｌｏｃａｔｉｏｎ＿ＩＥを受信する手段と、
前記受信されたＣＤＭＡ＿Ａｌｌｏｃａｔｉｏｎ＿ＩＥに含まれた伝送パラメータ値を利用することによってアップリンクの同期を補正する手段と、
前記受信されたＣＤＭＡ＿Ａｌｌｏｃａｔｉｏｎ＿ＩＥを介して前記基地局から割り当てられた帯域幅を利用することによって前記基地局へデータを伝送する手段と
をさらに含むことを特徴とする請求項１３に記載の加入者端末。
【請求項１５】
前記ＣＤＭＡ＿Ａｌｌｏｃａｔｉｏｎ＿ＩＥは、
前記加入者端末がアップリンクを通じてデータを一定期間独占的に伝送させる権限に対する情報を含む伝送機会と、
前記加入者端末がアップリンク同期化のために前記基地局に伝送した帯域幅要請コードに含まれたタイミング調整値の情報を含むタイミング調整と、
前記加入者端末が調整する伝送パラメータ値のうちの伝送電力値の情報を含む電力調整と
を含むことを特徴とする請求項１４に記載の加入者端末。
【発明の詳細な説明】
【技術分野】
【０００１】
本発明は移動通信システムにおけるアップリンク同期化要請方法、それに伴うＣＤＭＡ割り当て情報要素構造及びそれらを使用する装置に関する。より詳しくは、加入者端末が参照適応（Reference Adjustment）値とダウンリンクプレアンブルの受信時点を比較して、アップリンク同期タイミングを計算して帯域幅要請レンジングを通して、帯域幅割り当てを要請する方法に関する。
【背景技術】
【０００２】
移動通信システムの一種である無線携帯用インターネット（ワイヤレスブロードバンドまたは携帯用高速インターネット）システムは、従来の無線ＬＡＮのように固定されたアクセスポイント（ＡＰ）を利用する近距離データ通信方法で移動性（mobility）を支援する次世代通信システムである。
【０００３】
図１は無線用携帯インターネットシステムを概略的に示す構成図である。図１に示すように、無線用携帯インターネットシステムは、加入者端末（ＰＳＳ:Portable Subscriber Station）１１０、基地局（ＲＡＳ:Radio Access Station）１２０、アクセスコントロールルーター（ＡＣＲ:Access Control Router）１３０、ＩＰネットワーク１４０、ホームエージェント（ＨＡ:Home Agent）１５０、ＡＡＡ（Authentication, Authorization, Accounting）サーバー１６０、及びインターネット網１７０を含む。
【０００４】
加入者端末１１０は、無線用携帯インターネットシステムに接続してトラフィックデータを受信または伝送することより高速無線インターネットサービスを利用し、かつ、低電力ＲＦ（Radio Frequency）／ＩＦ（Intermediate Frequency）モジュール及びコントローラー機能、サービス特性及び伝搬環境によるＭＡＣ（Media Access Control）フレーム可変制御機能、ハンドオフ機能、認証及び暗号化機能などを行う。
【０００５】
基地局１２０は、無線用携帯インターネットシステムの基地局としてＡＣＲ１３０から受信したデータを無線で加入者端末１１０に伝送し、低電力ＲＦ／ＩＦモジュール及びコントローラー機能、ＯＦＤＭＡ／ＴＤＤパケットスケジューリング及びチャネル多重化機能、サービス特性及び伝搬環境によるＭＡＣフレーム可変制御機能、高速トラフィックリアルタイム制御機能、及びハンドオーバー機能などを行う。また、加入者端末１１０及び基地局１２０は、データ伝送のためのパケット伝送変復調機能、高速パケットチャネルコーディング機能、及びリアルタイムモデム制御機能などを有する。
【０００６】
ＡＣＲ１３０は、基地局１２０間を連結するパケットアクセスルーターとして、複数個の基地局１２０を収容し、かつ基地局１２０間のハンドオーバー制御機能、ＡＣＲ１３０間のハンドオーバー機能、パケットルーティング機能、及びインターネット接続機能などを行う。ＡＣＲ１３０は、ＩＰネットワーク１４０に接続される。
【０００７】
ＩＰネットワーク１４０は、ホームエージェント１５０及びＡＡＡサーバー１６０と連結され、インターネット網１７０などの外部のパケットデータサービスからパケットデータを受信して、ＡＣＲ１３０に受信したパケットデータを伝送する。
【０００８】
ホームエージェント１５０は、インターネット網１７０から加入者端末１１０にデータを伝送する時、モバイルＩＰ使用の場合には、外部から伝送されたデータを伝送するルーティング（Routing）を行い、ＡＡＡサーバー１６０は加入者端末１１０で利用したデータに対する課金を行い、加入者端末１１０からの接続を認証する機能を行う。
【０００９】
このような無線用携帯インターネットシステムにおいて加入者端末１１０からアップリンクデータを伝送する時、伝送されるアップリンクデータを基地局１２０で正確に受信するように、加入者端末１１０の電力、タイミング、及び周波数オフセットなどの伝送パラメータを調整するレンジング（Ranging）を行う。
【００１０】
現在、無線用携帯インターネットでのレンジングは、初期接続／ハンドオフレンジング、周期的レンジング、及び帯域幅要請コードを利用した帯域幅要請レンジングに区分される。
【００１１】
初期接続／ハンドオフレンジングは、加入者端末１１０が基地局１２０に初期接続した時、または基地局１２０にハンドオフを試みる時に、加入者端末１１０の伝送電力、タイミング、及び周波数オフセットを調整し、かつ初期信号接続プロセスを開始するために行われる。
【００１２】
周期的レンジングは、加入者端末１１０の伝送電力、タイミング、及び周波数オフセットを調整するために一定時間単位で行われる。これらの伝送パラメータは、加入者端末１１０が移動するにつれて変化する。
【００１３】
図２は、無線携帯用インターネットシステムにおける周期的レンジングプロセスを説明するための信号流れ図である。
【００１４】
無線用携帯インターネットシステムの加入者端末１１０は、周期的レンジングプロセスを行うためにＴ４タイマーの満了／未了を確認する。ここで、Ｔ４タイマーは、アップリンクリソースを少なくとも１回割り当てるべき最大時間を測定し、周期的なレンジングプロセスを行わなければならない間隔をチェックする。
【００１５】
Ｔ４タイマーが満了したことが確認されると（Ｓ２１０）、加入者端末１１０は、周期的レンジングコード（Period Ranging Code）を基地局１２０に伝送する（Ｓ２２０）。ここで、周期的レンジングコードは、１つのＴ４タイマーの間隔ごとに周期的なレンジングをＴ４タイマーが行うようにＴ４タイマーがリセットされる時、加入者端末１１０から基地局１２０に同時に伝送されるレンジング要請信号である。
【００１６】
基地局１２０は、周期的レンジングコードを受信する時に伝送パラメータ（伝送電力、タイミング、及び周波数オフセットなど）を調整し（Ｓ２３０）、レンジング応答信号（ＲＮＧ_ＲＳＰ:Ranging Response）を介して伝送パラメータ調整値を加入者端末１１０に伝送する（Ｓ２４０）。
【００１７】
加入者端末１１０は、受信された伝送パラメータ調整値を利用して伝送電力、タイミング、及び周波数オフセットを調整する。このような周期的レンジングプロセスは、Ｔ４タイマーの間隔ごとに行われる（Ｓ２５０）。
【００１８】
帯域幅要請コードを利用したレンジングプロセスは、加入者端末１１０においてアップリンクトラフィックが発生した場合、アップリンクトラフィックを伝送するための帯域幅要請のために行われる。
【００１９】
図３は、無線用携帯インターネットシステムで帯域幅要請コードによる帯域幅割り当て及びレンジングプロセスを説明するための信号流れ図である。
【００２０】
加入者端末１１０にアップリンクトラフィックが発生すると（Ｓ３１０）、基地局１２０へ帯域幅要請コード（Bandwidth Request Code）を伝送する（Ｓ３２０）。
【００２１】
基地局１２０は、帯域幅要請コードを受信すると、測定された周波数オフセット、伝送電力、タイミング調整値などの伝送パラメータ調整値を含むＲＮＧ＿ＲＳＰ信号を生成した後（Ｓ３３０）、基地局１２０内全ての加入者端末１１０に生成したＲＮＧ＿ＲＳＰ信号を伝送する（Ｓ３４０）。周波数オフセット、伝送電力、タイミング調整値などの伝送パラメータ調整値を含むＲＮＧ＿ＲＳＰ信号を受信すると、加入者端末１１０は、これらの伝送パラメータを調整する（Ｓ３５０）。
【００２２】
また、基地局１２０は、アップリンクマップ（ＵＬ−ＭＡＰ）のＣＤＭＡ割り当て情報要素（ＣＤＭＡ＿Ａｌｌｏｃａｔｉｏｎ＿ＩＥ）を伝送する（Ｓ３６０）。ここで、ＣＤＭＡ＿Ａｌｌｏｃａｔｉｏｎ＿ＩＥは、ＵＩＵＣ（Uplink Interval Usage Code：アップリンク区間使用コード）、ＲＣＩ（Repetition Code Indication：反復コード指示子）、フレーム数インデックス（Frame Number Index）、レンジングコード（Ranging Code）、レンジングシンボル（Ranging Symbol）、レンジングサブチャネル（Ranging Subchannel）、帯域幅要請命令（BW Request Mandatory）を含み、該当するアップリンクの無線リソース情報を提供する。
【００２３】
加入者端末１１０は、受信されたＣＤＭＡ＿Ａｌｌｏｃａｔｉｏｎ＿ＩＥを介してレンジングプロセスを行い、ＵＬ−ＭＡＰに割り当てられた帯域幅を利用して帯域幅要請ヘッダ（Bandwidth Request Header）を基地局１２０に伝送する（Ｓ３７０）。基地局１２０は、受信した帯域幅要請ヘッダを介して加入者端末１１０のアップリンクトラフィックの伝送のための帯域幅が割り当てられたＵＬ−ＭＡＰ及びＤＬ−ＭＡＰを生成した後、生成したＵＬ−ＭＡＰ及びＤＬ−ＭＡＰを加入者端末１１０に伝送する（Ｓ３８０）。加入者端末１１０は、ＵＬ−ＭＡＰ及びＤＬ−ＭＡＰに割り当てられた帯域幅を利用してアップリンクトラフィックを伝送する（Ｓ３９０）。
【００２４】
このような周期的レンジングは、初期接続／ハンドオフレンジングや帯域幅要請コードレンジングに比べて非常に多くのレンジングチャネル数が要求されるため、リソース利用効率を低下させる問題がある。そして、周期的レンジングを通じて正確な送信電力が調節されたとしても加入者端末が実際データを伝送する時点は非常に遅れて発生することがあり、周期的レンジングによる電力調節ゲインが多く得られない問題がある。
【００２５】
また、図３のような帯域幅要請コードを利用したレンジングプロセスは、加入者端末が帯域幅要請コードを伝送し、基地局が帯域幅要請ヘッダを伝送するまでＲＮＧ＿ＲＳＰメッセージの受信及びその処理に遅延が発生するため、アップリンクトラフィック伝送が遅延する問題も発生する。
【発明の概要】
【発明が解決しようとする課題】
【００２６】
このような問題を解決するために、本発明は、加入者端末が参照適応（Reference Adjustment）値とダウンリンクプレアンブルの受信時点を比較してアップリンク同期タイミングを計算し、帯域幅要請レンジングを通じて帯域幅割り当てを要請して加入者端末のアップリンクの同期化を要請する方法、アップリンクの同期化についてのＣＤＭＡ割り当て情報要素の構造、及び当該方法を使用する装置を提供する。
【課題を解決するための手段】
【００２７】
本発明の一実施形態に係る方法は、移動通信システムにおいてアップリンクの同期化を要請する。この方法は、ａ）前記アップリンクトラフィックがある場合、アップリンク同期エラーがあるかどうかを判断するステップと、ｂ）前記アップリンク同期エラーがあると判断された場合、タイミング調整値を計算するステップと、ｃ）前記計算されたタイミング調整値が含まれた帯域幅要請コードを基地局へ伝送して帯域幅要請を行うステップを含む。
【００２８】
また、本発明の一実施形態に係る、移動通信システムでアップリンクの同期化のために基地局から加入者端末に伝送するアップリンクマップ（ＵＬ−ＭＡＰ）のＣＤＭＡ割り当て情報要素（ＣＤＭＡ＿Ａｌｌｏｃａｔｉｏｎ＿ＩＥ）構造は、前記加入者端末がアップリンクを介してデータを一定期間独占的に伝送させる権限に対する情報を含む伝送機会（Transmission Opportunity）と、前記加入者端末がアップリンク同期化のために前記基地局に伝送した帯域幅要請コードに含まれたタイミング調整値の情報を含むタイミング調整（Timing Adjustment）と、前記加入者端末が調整する伝送パラメータ値のうちの伝送電力値の情報を含む電力調整（Power Adjustment）と、を含む。
【００２９】
また、移動通信システムで帯域幅要請コードを利用したレンジングを通じてアップリンクを同期化する加入者端末は、基地局と初期レンジングを行って初期タイミング値を格納する手段と、アップリンクトラフィックがあるかどうかを判断する手段と、前記アップリンクトラフィックがあると判断された場合、アップリンク同期エラーがあるかどうかを判断する手段と、前記アップリンク同期エラーがあると判断された場合、タイミング調整値を計算する手段と、前記基地局へ前記計算されたタイミング調整値が含まれた帯域幅要求コードを伝送して帯域幅要請を行う手段を含む。
【発明の効果】
【００３０】
本発明によれば、加入者端末が参照適応値とダウンリンクプレアンブルの受信時点を比較してアップリンク同期タイミングを計算し、帯域幅要請レンジングを通じて帯域幅割り当てを要請する加入者端末のアップリンクを同期化することによってアップリンク同期化に利用されるリソース利用効率を極大化する効果がある。
【図面の簡単な説明】
【００３１】
【図１】移動通信システムを概略的に示す構成図である。
【図２】移動通信システムにおける周期的レンジングプロセスを説明する信号流れ図である。
【図３】無線用携帯インターネットシステムにおいて帯域幅要請コードによる帯域幅割り当て及びレンジングプロセスを説明するための信号流れ図である。
【図４】本発明の一実施形態に係る加入者端末のアップリンク同期化方法を説明するための加入者端末と基地局との関係を示す図である。
【図５】本発明の一実施形態に係る加入者端末においてアップリンク同期化を行う原理を概略的に示す図である。
【図６】本発明の一実施形態に係る帯域幅要請コードを利用した帯域幅要請過程を示す図である。
【図７】本発明の一実施形態に係るアップリンクマップのＣＤＭＡ＿Ａｌｌｏｃａｔｉｏｎ＿ＩＥの構造を示す図である。
【図８】本発明の一実施形態に係る加入者端末においてアップリンク同期化を行う過程を概略的に示す図である。
【発明を実施するための形態】
【００３２】
以下の詳細な説明において、本発明の特定の例示的な実施形態を示して説明する。説明されている実施形態は、本発明の要旨及び範囲を逸脱しない限り、異なるやり方で修正可能である。添付図面及び詳細な説明は、例示的なものであり、限定的なものではない。そして、明細書全体にわたって類似の部分については類似の図面符号を付している。
【００３３】
また、明示的に逆の意味で使用することが記載されていない限り、「含む」及びそれに類する用語は、他の構成要素を除くのではなく、ある構成要素を含むことを示唆する。
【００３４】
図４は、本発明の一実施形態に係る加入者端末（ＰＳＳ）のアップリンク同期化方法を説明するための加入者端末と基地局（ＲＡＳ）との関係を示す図である。図５は、本発明の一実施形態に係る加入者端末においてアップリンク同期化を行う原理を概略的に示す図である。
【００３５】
本発明の実施形態では、加入者端末が基地局から遠く離れて移動することを説明しているが、これに限定されることはなく、加入者端末が基地局の近くに移動することも可能である。
【００３６】
また、図５では説明の便宜上、ダウンリンクを「ＤＬ」と表記し、アップリンクを「ＵＬ」と表記する。
【００３７】
図４を参照すると、第１の加入者端末４１０及び第２の加入者端末４２０は、基地局４４０と無線でデータを送受信しており、第１の加入者端末４１０が第２の加入者端末４２０より相対的に基地局４４０へさらに接近した状態である。また、第２の加入者端末４２０は、基地局４４０から遠くへ移動している。
【００３８】
図５を参照すると、第２の加入者端末４２０と基地局１２０間の距離は第１の加入者端末４１０と基地局１２０間の距離よりも相対的に大きいので、第２の加入者端末４２０は第１の加入者端末４１０に比べて相対的に時間遅延が大きくなり、第２の加入者端末４２０は、ＴＴＧ（Transmit Transition Gaps）を減少させる方法で基地局１２０との同期を合わせて第１の加入者端末４１０より速くアップリンクフレームを受信する。
【００３９】
また、第２の加入者端末４２０が基地局４４０から遠くなるにつれて第２の加入者端末４２０と基地局４４０間の距離が大きくなり、その結果、データを送受信するのに発生する時間遅延（すなわち、往復遅延（Round Trip Delay））が大きくなる。そして、第２の加入者端末４２０の移動による往復遅延が大きくなるにつれデータ送受信が遅延する。
【００４０】
つまり、第２の加入者端末４２０が移動する前に第１のフレームのアップリンクの受信完了時間と次回受信される第２のフレームのダウンリンクプレアンブルが到着する時間の間を時間間隔（time gap）ｄ２とし、第２の加入者端末４２０が移動した後、第１のフレームのアップリンクの受信完了時間と次回受信される第２のフレームのダウンリンクプレアンブルが到着する時間の間をｄ２´と仮定する。この仮定において時間間隔ｄ２とｄ２´が互いに合致しない（差が発生する）とき、第２の加入者端末４２０にはｄ２とｄ２´間の差に対応する時間遅延による同期エラーが発生する。
【００４１】
したがって、時間間隔ｄ２とｄ２´間に差が発生した場合、第２の加入者端末４２０は、基地局４４０へｄ２からｄ２´を引いた時間差だけフレーム伝送を速くすることを要請して同期エラーを訂正することができる。
【００４２】
この時、ｄ２からｄ２´を引いた時間差の値が第２の加入者端末４２０が基地局４４０から割り当てられたアップリンクの同期を調節するための初期タイミング調整（Timing Adjustment）値となる。
【００４３】
つまり、第２の加入者端末４２０は、初期レンジングを通じて調節された初期タイミング調整値を格納しなければならず、第２の加入者端末４２０の位置が変更された場合、第２の受信フレームのダウンリンクのプレアンブルの受信時点を検出し、初期レンジングを通じて調節された初期タイミング調整値と比較して２つの値に差があるかどうかを判断する。
【００４４】
図６は、本発明の一実施形態に係る帯域幅要請コードを利用した帯域幅要請過程を示す図である。
【００４５】
第２の加入者端末４２０が基地局４４０から近くまたは遠い位置に移動すると（Ｓ６１０）、第２の加入者端末４２０は、初期レンジングを通じて調節された初期タイミング値と基地局４４０から伝送されるデータフレームの受信時間とを利用して第２の加入者端末４２０の位置移動によるタイミング調整値を計算する（Ｓ６２０）。
【００４６】
次いで、第２の加入者端末４２０は、ステップＳ６２０で計算されたタイミング調整値をアップリンク帯域幅を割り当てるための帯域幅要請コード（Bandwidth Request Code：BR Code）に含めて、帯域幅要請コード（ＢＲコード）を基地局４４０に送信する（Ｓ６３０）。
【００４７】
基地局４４０は、受信された帯域幅要請コードを考慮して第２の加入者端末４２０に割り当てる伝送パラメータ調整値を決め（Ｓ６５０）、決められた伝送パラメータ調整値を第２の加入者端末４２０が要請したアップリンクの帯域幅を割り当てるためのメッセージであるＣＤＭＡ割り当て情報要素（ＣＤＭＡ＿Ａｌｌｏｃａｔｉｏｎ＿ＩＥ）に含めて第２の加入者端末４２０に送信する（Ｓ６６０）。
【００４８】
ここで、本発明の実施形態に係るＣＤＭＡ＿Ａｌｌｏｃａｔｉｏｎ＿ＩＥの構造を図７を参照して以下で詳しく説明する。
【００４９】
次いで、第２の加入者端末４２０は、受信されたＣＤＭＡ＿Ａｌｌｏｃａｔｉｏｎ＿ＩＥに含まれた伝送パラメータ調整値を利用してタイミング、伝送電力、周波数オフセットなどの伝送パラメータを調整するレンジングを行う（Ｓ６７０）。
【００５０】
また、第２の加入者端末４２０は、基地局４４０から割り当てられたアップリンク帯域幅を介してデータを伝送し、万一割り当てられたアップリンク帯域幅が不足した場合にはＧｒａｎｔ＿Ｍａｎａｇｅｍｅｎｔ＿Ｓｕｂｈｅａｄｅｒメッセージを伝送して追加的に必要なアップリンク帯域幅を要請する（Ｓ６８０）。
【００５１】
このように本発明は周期的なレンジング（Periodic Ranging）の代わりに加入者端末にアップリンクトラフィックが発生し、加入者端末が加入者端末の位置移動による同期エラーが発生したと判断した場合に、加入者端末が自ら計算したタイミング調整値を帯域幅要請コードと共に基地局へ伝送してアップリンク同期エラーを訂正する。
【００５２】
図７は、本発明の実施形態に係るアップリンクマップのＣＤＭＡ＿Ａｌｌｏｃａｔｉｏｎ＿ＩＥの構造を示す図面である。
【００５３】
本発明によるアップリンクマップ（ＵＬ−ＭＡＰ）のＣＤＭＡ＿Ａｌｌｏｃａｔｉｏｎ＿ＩＥは従来のＣＤＭＡ＿Ａｌｌｏｃａｔｉｏｎ＿ＩＥ構成要素７１０に加えて、伝送機会（Transmission Opportunity）７３０、タイミング調整（Timing adjustment）７４０、及び電力調整（Power level adjustment）７５０を含む。
【００５４】
従来のＣＤＭＡ＿Ａｌｌｏｃａｔｉｏｎ＿ＩＥ構成要素７１０は、割当てられるスロットの数を示す期間７１１、アップリンク区間の使用コードを示すアップリンク区間使用コード（ＵＩＵＣ:Uplink Interval Usage Code）７１２、割り当てられたトラフィックに使用される反復コードを示す反復コード指示子（Repetition Code Indication）７１３、アップリンクトラフィックの伝送のために使用されるフレーム数を示すフレーム数インデックス（Frame Number Index）７１４、レンジングのためのコード、シンボル及びサブチャネルをそれぞれ示すレンジングコード（Ranging Code）７１５及び帯域幅要請のための識別子を示す帯域幅要請命令（BW Request Mandatory）７１６を含む。
【００５５】
伝送機会７３０は、第２の加入者端末４２０がアップリンクを通じてデータを一定期間独占的に伝送させる権限に対する情報が含まれている。
【００５６】
タイミング調整７４０は、レンジングが実行される場合、第２の加入者端末４２０がアップリンク同期化のために基地局４４０に送信した帯域幅要請コードに含まれたタイミング調整値の情報を含む部分である。
【００５７】
電力調整７５０は、レンジングが実行される場合、第２の加入者端末４２０が調整する伝送パラメータ値のうちの伝送電力値の情報を含む部分である。
【００５８】
図８は、本発明の実施形態に係る加入者端末でアップリンク同期化を行うプロセスを概略的に示す図面である。
【００５９】
まず、第２の加入者端末４２０は、基地局４４０と初期レンジングを行い、初期レンジングプロセスで設定される初期タイミング値を格納する（Ｓ８１０）。
【００６０】
次いで、第２の加入者端末４２０は、基地局４４０を通じてデータを伝送するアップリンクトラフィックが発生するかどうかを判断し（Ｓ８２０）、ステップＳ８２０で第２の加入者端末４２０はアップリンクトラフィックが発生したと判断した場合、アップリンク同期エラーが生じているかどうかを判断する（Ｓ８３０）。
【００６１】
また、ステップＳ８３０でアップリンク同期エラーが生じていると判断された場合、第２の加入者端末４２０は、ステップＳ８１０で格納された初期タイミング値と第２のフレームのダウンリンクプレアンブルの受信時点を比較してタイミング調整値を計算する（Ｓ８４０）。
【００６２】
次いで、第２の加入者端末４２０は、ステップＳ８４０で計算されたタイミング調整値を帯域幅要請コードに含めて基地局４４０へ伝送し（Ｓ８５０）、基地局４４０からタイミング調整値が反映されたＣＤＭＡ＿Ａｌｌｏｃａｔｉｏｎ＿ＩＥを受信する（Ｓ８６０）。
【００６３】
また、第２の加入者端末４２０は、受信されたＣＤＭＡ＿Ａｌｌｏｃａｔｉｏｎ＿ＩＥに含まれた情報を利用して基地局４４０とのアップリンク同期エラーを補正し（Ｓ８７０）、基地局４４０へ割り当てられた帯域幅を通じてデータを伝送する（Ｓ８８０）。
【００６４】
したがって、本発明の実施形態では初期レンジングの後に加入者端末の位置移動によるアップリンク同期エラーを加入者端末で基地局の参照適応値と加入者端末でのダウンリンクプレアンブル（Preamble）受信時点とを比較することによって同期エラーを補償することができる。
【００６５】
以上で説明した本発明の実施例は装置及び方法によってのみ実現されることはなく、本発明の実施例の構成に対応する機能を実現するプログラムまたはそのプログラムが記録された記録媒体によって実現することもできる。このような実現は前記で説明した実施例の記載から本発明が属する技術分野における専門家であれば容易に実現することができる。
【００６６】
以上、本発明の実施例について詳細に説明したが、本発明の権利範囲はこれに限定されず、請求範囲で定義している本発明の基本概念を利用した当業者の多様な変形及び改良形態もまた本発明の権利範囲に属する。
【図１】
2010500788.tif 000003
【図２】
2010500788.tif 000004
【図３】
2010500788.tif 000005
【図４】
2010500788.tif 000006
【図５】
2010500788.tif 000007
【図６】
2010500788.tif 000008
【図７】
2010500788.tif 000009
【図８】
2010500788.tif 000010